(57)【特許請求の範囲】
【請求項１】
レース開催センタからオッズ情報を含む開催情報を抽出するチューナと前記開催情報を記憶する記憶装置と前記開催情報を表示する表示器と前記開催情報を印刷するプリンタを備えた情報提供装置において、
前記チューナで受信した開催情報を前記記憶装置に記憶するデータ抽出手段と、
前記記憶装置に記憶された開催情報に基づき、レース開催日を単位としてレース場、レース番号及び該当レース場のレース番号毎の取得するオッズ情報の賭式を一覧表示するオッズ情報欄と、レース開催に係るニュースを文字にて示すニュース欄と、利用者により選択された前記賭式のオッズ情報の印刷を指示する印刷欄を前記表示器に表示する表示制御手段と、
前記印刷指示に従い前記選択された賭式のオッズ情報を前記プリンタに出力する印刷制御手段と、
この印刷制御手段によりオッズ情報が印刷されたときに、挿入されているカードから対価支払い処理を行う料金計算手段と、
前記対価支払い処理による料金精算を完了する毎に、ユニークな第１の鍵情報を生成する手段と、
予め固定の第２の鍵情報が記憶された前記記憶装置と、
前記第１の鍵情報及び前記第２の鍵情報から第３の鍵情報を生成する手段と、
前記第３の鍵情報に基づいて、利用可能サービスの識別子、カード種別、カード番号、前記料金精算後のカード金額、更新利用年月日及び使用装置番号を含む各種情報を暗号化する手段と、
前記暗号化された各種情報を前記カードに書き込む手段と、
前記暗号化された各種情報の他に、前記第１の鍵情報及び前記第２の鍵情報から前記第３の鍵情報とは異なる第４の鍵情報を生成し、得られた第４の鍵情報を前記カードに書き込む手段と、
前記暗号化された各種情報及び前記第４の鍵情報の書き込みが完了すると、前記カードを排出する手段と、
前記書き込まれた前記暗号化された各種情報を復元する場合、前記カードから第４の鍵情報と前記暗号化された各種情報とを読み出す手段と、
前記読み出した第４の鍵情報と、前記記憶装置内の第２の鍵情報とから第１の鍵情報を生成し、この第１の鍵情報及び前記第２の鍵情報から第３の鍵情報を生成する手段と、
この第３の鍵情報に基づいて、前記読み出した前記暗号化された各種情報を復号化する手段と
を備えたことを特徴とする情報提供装置。
【請求項２】
レース開催センタからオッズ情報を含む開催情報を抽出するチューナと前記開催情報を記憶する記憶装置と前記開催情報を表示する表示器とカードを取り扱うカードリードライタと前記開催情報を印刷するプリンタを備えた情報提供装置において、
前記チューナで受信した開催情報を前記記憶装置に記憶するデータ抽出手段と、
前記記憶装置に記憶された開催情報に基づき、レース開催日を単位としてレース場、レース番号及び該当レース場のレース番号毎の取得するオッズ情報の賭式を一覧表示するオッズ情報欄と、レース開催に係るニュースを文字にて示すニュース欄と、利用者により選択された前記賭式のオッズ情報の印刷を指示する印刷欄を前記表示器に表示する表示制御手段と、
前記印刷指示に従い前記選択された賭式のオッズ情報を前記プリンタに出力する印刷制御手段と、
この印刷制御手段によりオッズ情報が印刷されたときに、前記カードリードライタに挿入されたカードから対価支払い処理を行う料金計算手段と、
前記対価支払い処理による料金精算を完了する毎に、ユニークな第１の鍵情報を生成する手段と、
予め固定の第２の鍵情報が記憶された前記記憶装置と、
前記第１の鍵情報及び前記第２の鍵情報から第３の鍵情報を生成する手段と、
前記第３の鍵情報に基づいて、利用可能サービスの識別子、カード種別、カード番号、前記料金精算後のカード金額、更新利用年月日及び使用装置番号を含む各種情報を暗号化する手段と、
前記暗号化された各種情報を前記カードリーダライタにより前記カードに書き込む手段と、
前記第１の鍵情報及び前記第２の鍵情報から前記第３の鍵情報とは異なる第４の鍵情報を生成し、得られた第４の鍵情報を前記カードリーダライタにより前記カードに書き込む手段と、
前記暗号化された各種情報及び前記第４の鍵情報の書き込みが完了すると、前記カードリーダライタから前記カードを排出する手段と、
前記カードに書き込まれた前記暗号化された各種情報を復元する場合、前記カードリーダライタにより、前記カードから第４の鍵情報と当該暗号化された各種情報とを読み出す手段と、
前記読み出した第４の鍵情報と、前記記憶装置内の第２の鍵情報とから第１の鍵情報を生成し、この第１の鍵情報及び前記第２の鍵情報から第３の鍵情報を生成する手段と、
この第３の鍵情報に基づいて、前記読み出した前記暗号化された各種情報を復号化する手段と
を備えたことを特徴とする情報提供装置。
【請求項３】
前記カードの正当性をチェックするカードリードライタ制御手段を備え、前記カードが正当の場合、前記表示器に前記開催情報を表示することを特徴とする請求項２に記載の情報提供装置。
【発明の詳細な説明】
【０００１】
【発明の属する技術分野】
本発明は、競馬、競輪、競艇等におけるオッズ情報を含む各種情報を利用者に提供する情報提供装置に関する。
【０００２】
【従来の技術】
従来から、競馬、競輪、競艇等のレース開催において、利用者（ファン）に対して、オッズ（概算配当率）情報や成績情報の如きレース開催情報が提供される。
【０００３】
かかるレース開催情報を提供する装置として、従来、モニタ装置を用いたものが知られている。
【０００４】
近時、競馬においては、従来からの枠番のほかにワイド等の多種多様な賭方式が採用されており、上述したモニタ装置で多くの利用者に情報提供する方式で、多様な賭方式に対応したオッズ情報を提供しようとすると、表示が小さくなる等のため、利用者は容易に確認できない、という問題があった。
【０００５】
かかる不具合を解消するため、所望のレースのオッズ情報を利用者別に提供する装置として、特許第３２２１４５４号公報（特開平６−２９５３０５号公報）のようオッズ情報出力装置が知られている。
【０００６】
【発明が解決しようとする課題】
しかし、上述した従来のオッズ情報出力装置では、表示画面を見ながら予め定められた操作手順を、キーボードやスイッチ操作により実行するものであるため誤った操作に至るケースが多々であり、利用者の利便性に応じていない面があった。
【０００７】
本発明の目的は、利用者に対して操作性が一層向上した情報提供と、容易に装置のメンテナンスが行える情報提供装置を提供することにある。
【０００８】
【課題を解決するための手段】
上記目的を達成するために本発明に係る情報提供装置は、レース開催センタからオッズ情報を含む開催情報を抽出するチューナと前記開催情報を記憶する記憶装置と前記開催情報を表示する表示器と前記開催情報を印刷するプリンタを備えた情報提供装置において、前記チューナで受信した開催情報を前記記憶装置に記憶するデータ抽出手段と、前記記憶装置に記憶された開催情報に基づき、レース開催日を単位としてレース場、レース番号及び該当レース場のレース番号毎の取得するオッズ情報の賭式を一覧表示するオッズ情報欄と、レース開催に係るニュースを文字にて示すニュース欄と、利用者により選択された前記オッズ情報の印刷を指示する印刷欄を前記表示器に表示する表示制御手段と、前記印刷欄の指示に従い前記選択された賭式のオッズ情報を前記プリンタに出力する印刷制御手段と、この印刷制御手段によりオッズ情報が印刷されたときに、挿入されているカードから対価支払い処理を行う料金計算手段と、前記対価支払い処理による料金精算を完了する毎に、ユニークな第１の鍵情報を生成する手段と、予め固定の第２の鍵情報が記憶された前記記憶装置と、前記第１の鍵情報及び前記第２の鍵情報から第３の鍵情報を生成する手段と、前記第３の鍵情報に基づいて、利用可能サービスの識別子、カード種別、カード番号、前記料金精算後のカード金額、更新利用年月日及び使用装置番号を含む各種情報を暗号化する手段と、前記暗号化された各種情報を前記カードに書き込む手段と、前記暗号化された各種情報の他に、前記第１の鍵情報及び前記第２の鍵情報から前記第３の鍵情報とは異なる第４の鍵情報を生成し、得られた第４の鍵情報を前記カードに書き込む手段と、前記暗号化された各種情報及び前記第４の鍵情報の書き込みが完了すると、前記カードを排出する手段と、前記書き込まれた前記暗号化された各種情報を復元する場合、前記カードから第４の鍵情報と前記暗号化された各種情報とを読み出す手段と、前記読み出した第４の鍵情報と、前記記憶装置内の第２の鍵情報とから第１の鍵情報を生成し、この第１の鍵情報及び前記第２の鍵情報から第３の鍵情報を生成する手段と、この第３の鍵情報に基づいて、前記読み出した前記暗号化された各種情報を復号化する手段とを備えたものである。
【０００９】
本発明によれば、利用者は一覧表示された開催情報から所望のレースに係るオッズを選択することができる上に選択されたレースのオッズ情報を印刷することができ、よって、利用者に対して操作性が一層向上した情報提供装置を提供することができる。
また、本発明によれば、カード内の情報を暗号化して書き込み、暗号化キーをランダムに変える仕組みとしているため、カードに書き込まれた情報の解読を困難にできるため、更に不正カードの使用を排除することができる。
【００１２】
【発明の実施の形態】
以下、本発明の一実施形態に係る情報提供装置について図面を参照して説明する。
【００１３】
本実施形態は、レース開催が競馬であり、複数のセンタから配信される文字放送データからオッズ情報等の開催情報を抽出して、該開催情報を競馬利用者に対しプリペイドカードを利用して有料提供を行う装置の例である。
【００１４】
図１に示すように、競馬開催に係る各種情報を取扱うセンタとして複数のセンタ１００Ａがあり、ネットワーク２００を介して競馬場３００Ａ及び場外馬券売場３００Ｂに接続されている。
【００１５】
本実施形態のレース開催情報提供装置４００は、競馬場３００Ａ及び場外馬券売場３００Ｂに１又機は複数設置され、ネットワーク２００を介して東センタ１００Ａ，西センタ１００Ａから配信される文字放送データを受信し、該受信データからオッズ情報（概算配当率）、開催場所（レース場）、レース番号等のレース情報、賭式種別情報、レース結果、馬体重等の馬情報等の開催情報を抽出し、本装置を利用する利用者に情報提供する。
【００１６】
図２に示すように本実施形態の情報提供装置４００は、台４０１及び筐体４０２を有する。
【００１７】
筐体４０２には、利用者に対してオッズ情報の選択のための表示及び選択を受け付けるタッチパネルスイッチ付きＬＣＤ４０３、本機が不具合を生じたときに呼出ボタン４０５により係員を呼び出すための呼出ボタン４０４、本機によるオッズ情報の印刷による提供の対価を支払うための例えばプリペイドカードが挿入されるカードリードライタ（Ｒ／Ｗ）４０６、本機の内部点検のため扉開閉用の扉鍵４０７、利用者に対し操作手順を音声で知らせたり係員の呼び出し等を音声で知らせるスピーカ４０８、オッズ情報等を紙出力するプリンタ４０９、紙出力されたオッズ情報プリントを利用者が取り出すための取出口４１０が設けられている。
【００１８】
また筐体４０２の内部に図３に示すハードウェアを装備している。
【００１９】
図３に示すように、バス４１１に、図２に示すタッチパネルスイッチ付きＬＣＤ（表示器）４０３、呼出ボタン４０４、カードＲ／Ｗ４０６、スピーカ４０８、プリンタ４０９が接続されている。
【００２０】
またバス４１１には、ネットワーク２００を介してセンタ１００Ａから配信される文字放送データを受信するチューナ４１２と、このチューナ４１２で受信した文字放送データや後述するソフトウェアで構成される各手段で加工、作成された各データを記憶する記憶装置４１３が接続されている。
【００２１】
尚、この記憶装置４１３は次のファイルを備えている。
【００２２】
文字放送チューナ４１２から受信する開催情報の情報受信状況を記憶する管理ファイル、開催情報に含まれる各レースのオッズ情報（概算配当率）に付属する賭式の種別や、各賭式種別毎の発売要項（発売の有無等）を記憶するオッズ要項ファイル、レースに出走する馬の馬体重を記憶する馬体重ファイル、各レースのオッズ情報を記憶するオッズファイル、各レースの結果（競走成績）を記憶する競走成績ファイル、情報提供装置の操作手順等を示すガイダンス情報を記憶するガイダンスファイル、文字放送チューナ４１２から受信した開催情報のトレースを記憶する受信トレースファイル、情報提供装置のシステム情報（装置内の日時、装置特定番号、稼動時間等）と装置の動作管理情報（装置の動作を制御するための情報）を記憶する動作管理ファイル、印刷サービスの課金情報を記憶する課金情報ファイル、カードの利用状況等の統計情報を記憶する統計情報ファイル、装置のエラーログを記憶するエラーログファイル、挿入されたカードの正当性を確認するためのカード履歴情報を記憶するカード使用履歴ファイルを備えている。
【００２３】
次に、図４に示すように、ソフトウェア構成としては、汎用ＯＳ２０、アプリケーションソフト及びミドルウェア３０で構成されている。アプリケーションソフト及びミドルウェア３０は、本装置の動作を制御する動作制御情報を設定する情報設定手段３０１と図３に示すチューナ４１２で受信したセンタからの文字放送データからオッズ情報等の開催情報を抽出する機能と前記情報設定手段３０１にて設定された動作制御情報に基づき受信した文字放送データのエラー制御機能を備えたデータ抽出手段３０２と、図３に示すカードＲ／Ｗ４０６に挿入されるカードの読み書き機能とカードＲ／Ｗ４０６の状態及び前記情報設定手段３０１にて設定された動作制御情報に基づき障害監視を行う監視機能を備えたカードＲ／Ｗ制御手段３０３と、図３に示すプリンタへ印刷データを送信する機能と前記情報設定手段３０１にて設定された動作制御情報に基づきプリンタの監視を行う監視機能を備えた印刷制御手段３０４と、図３に示すタッチパネルスイッチ付きＬＣＤ（表示器）４０３へ表示データを送信する機能と表示器からの入力データを受信する機能と前記情報設定手段３０１にて設定された動作制御情報に基づき表示制御を行う表示制御機能を備えた表示制御手段３０５と、データ抽出手段３０２、カードＲ／Ｗ制御手段３０３、印刷制御手段３０４、表示制御手段３０５における監視に基づき係員への通知を行うアラーム通知手段３０６と、前記情報設定手段３０１にて設定された制御情報と前記表示制御手段３０５で受信した利用者の指示内容に基づき料金を計算する料金計算手段３０８、前記情報設定手段３０１で設定された各制御情報の参照及び変更等を行うメンテナンス手段３０９とを備えている。
【００２４】
尚、情報設定手段３０１、データ抽出手段３０２、カードＲ／Ｗ制御手段３０３、印刷制御手段３０４、表示制御手段３０５は図３に示す記憶装置４１３との情報の読み書きを行う機能も備えている。
【００２５】
次に本実施形態における情報提供装置の動作について図５から図２１を用いて説明する。本実施形態における情報提供装置は、利用者に対する開催情報を提供する仕組みと情報提供装置のメンテナンス情報を提供する仕組みを備えており、まず、利用者に対する開催情報を提供する仕組みに関する動作について図５を用いて説明する。図５は、情報提供装置の動作を示すフローチャートである。
【００２６】
まず、情報提供装置の前に利用者が立つと、表示制御手段３０５により、データ抽出手段３０２から記憶装置４１３に記憶されている管理ファイル、オッズ要項ファイル、馬体重ファイル、競走成績ファイル、ガイダンスファイルから開催情報及びガイダンス情報を読み出し、図６に示す受付画面を表示する。（ステップＳ１）。この図６に示す受付画面は、利用者に対する開催情報を提供する画面であり、本装置から印刷するための情報として利用者に提供するオッズ情報欄５１０、オッズ情報欄５１０に表示されている情報がいつ開催されるレースに関する情報かを示す提供情報内容表示欄５２０、オッズ情報欄５１０に表示する提供情報を切り替えるための切替欄５３０、操作手順等を示すガイダンス欄５４０、挿入されたプリペイドカードの残金を表示するカード情報欄５５０Ａ、利用者が指定した印刷にかかる料金を表示する印刷料金欄５５０Ｂ、情報提供装置の状態を示す状態表示欄５６０を備えている。
【００２７】
具体的には、オッズ情報欄５１０は、レース開催日を単位として例えば同日開催の３つのレース場を縦軸に、各レース場毎の例えば１２回のレース番号を横軸に表示し、各レース場の各レース毎の賭式種別情報を該当欄に表示する。この賭式種別情報の表示内容としては、例えば、単勝、複勝、枠連、馬連、ワイド、馬単、３連馬の１又は複数の組合せと、馬体重の有り無し、及びオッズの印刷にかかる料金である。また、馬券の販売が終了したレースの該当欄には、レース締切を表示し、レースが終了した場合には、レースの該当欄に競走成績が表示される。この表示画面は、タッチパネルスイッチ付きＬＣＤ４０３で構成されているため、操作者は画面に表示されたレース番号等が表示された該当欄を指で触れると、指示内容が認識されるようになっている。
【００２８】
提供情報表示欄５２０は、現在表示されている開催情報がいつ開催されるレースに関する情報かを示し、ここでは、当日開催されるレースの情報を表示していることを示している。
【００２９】
切替欄５３０は、オッズ情報欄５１０に表示されている情報を変更するためのものであり、翌日に開催されるレースの情報を表示したい場合に、現在表示されている「前日ボタン」を指示すると、翌日に開催されるレースに関する開催情報に切り替わり、同様の開催情報が表示される。
【００３０】
ガイダンス欄５４０は、本装置の利用者に対して、本装置の操作手順（オッズ情報の選択及び印刷等）を表示制御手段３０５により記憶装置４１３に記憶されているガイダンスファイルガイダンス情報を読み出し、文字表示する。
【００３１】
カード情報欄５５０Ａは、利用者がカードＲ／Ｗ４０６に挿入したプリペイドカードの残金額をカードＲ／Ｗ制御手段３０３で読み取り表示し、印刷料金欄５５０Ｂは、印刷するためにかかる料金を表示制御手段３０５にて、記憶装置４１３に記憶されている課金情報ファイル抽出し、料金額を表示する。
【００３２】
状態表示欄５６０は、現在の動作がオッズ情報の選択、印刷等の取り扱いかメンテナンス等の取り扱いかを明示する。
【００３３】
続いて利用者が、ガイダンス欄５４０の表示内容に従い、予め情報提供装置を利用するための料金が設定されたプリペイドカードをカードＲ／Ｗ４０６に挿入すると(ステップＳ２)、カードＲ／Ｗ制御手段３０３にて挿入されたカード正当性をチェックする（ステップＳ３）。具体的には、プリペイドカードには、識別子（利用可能サービスの識別情報（例えば、競馬、競輪、競艇等のどのサービスを利用可能かを示すコード）、カード種別、カード番号（カードの作成年月日、通番）、カード金額（作成時の初期金額、残金）、更新利用年月日（最終利用年月日）、使用装置番号が暗号化されて記憶されている。また、暗号化された情報をカードＲ／Ｗ制御手段にて、復号化するための鍵情報が記憶されている。同様に、記憶装置４１３のカード使用履歴ファイルにも、識別子（利用可能サービスの識別情報（例えば、競馬、競輪、競艇等のどのサービスを利用可能かを示すコード）、カード種別、カード番号（カードの作成年月日、通番）、カード金額（作成時の初期金額、残金）、更新情報（最終利用年月日、時刻）、使用装置番号、カードに暗号化されて記載されている各種情報を復号化するための復号化キーが記憶されているため、カードＲ／ｗ制御手段にて使用履歴ファイルに記憶された情報を読み出し、復号化キーを使用して復号化してカードに記載された各種情報と使用履歴ファイルの情報を比較し、一致した場合には、コピーされた不正なカードと判断し、使用不可としてカードＲ／Ｗ４０６からカードを排出する。この正当性の確認により正当と判断された場合には、プリペイドカードの残金等を確認し使用可能な場合には続いて図７に示す操作画面を表示する。尚、比較する情報として、必ずしも上記全ての情報と比較する必要はなく、少なくとも、使用装置番号、更新情報、カード金額と比較することで正当性を判断できる。一方、挿入されたカードが残金不足、本装置のサービス利用対象外（識別子のエラー）のカード等で使用不可能な場合には、カードを排出し、カードの再挿入を促す。尚、使用不可の同一カードが再度挿入された場合には、情報設定手段３０１にて記憶装置４１３の動作管理ファイルに設定されたリトライ回数に基づきエラー等の判断を行う。
【００３４】
この図７に示す操作画面は、図６に示す受付画面に加え、選択レース欄５７０Ａ，５７０Ｂ，５７０Ｃと、操作内容表示欄５８０Ａ、ニュース欄５８０Ｂとキャンセル欄５９０Ａが表示されると共に、挿入したプリペイドカードの残金が計算され、図に示すようにカード情報欄５５０Ａに残金が表示される。選択レース欄５７０は、利用者が操作画面に表示されたオッズ情報５１０から選択したレース数の総数５７０Ａ、当日レース内の選択数５７０Ｂ、前日レース内の選択数５７０Ｃを表示する表示欄を有している。操作内容表示欄５８０Ａは、利用者が実際に操作した内容が表示される。ニュース欄５８０Ｂは、データ抽出手段３０２にて抽出し、記憶装置４１３に記憶されたセンタ１００Ａから提供される文字放送のうち、レース開催に係るニュース、例えば、「京都競馬場４／６（土）Ｒ５が中止となりました。」等を表示制御手段３０５により文字にて示す。利用者は、この操作内容表示欄５８０Ａ、ニュース欄５８０Ｂを参照することにより、実際の操作内容やレース開催に関する情報を即時に把握することができる。
【００３５】
キャンセル欄５９０Ａは、現在の操作をキャンセルするためのボタンであり、このボタンが押されると表示制御手段３０５により受付画面（図６）に戻る。
【００３６】
続いて、利用者が、ガイダンス欄５４０の表示内容に従い、オッズ情報欄５１０から印刷を希望するレースが表示された表示欄を指示すると（ステップＳ４）、図８に示すように、選択したレースが表示されたオッズ情報欄５１０の該当欄が反転表示（図示ではハッチング表示）され且つ選択レース欄５７０Ａ，５７０Ｂ，５７０Ｃに、選択したオッズ情報のレース数の総数、当日レースの選択数、前日レースの選択数がそれぞれ表示される。ここでは、図の５７０Ａ、５７０Ｂに示すように、全体で２レースが選択され、その内訳は当日レースに関するオッズ情報である旨を示している。そして、操作内容表示欄５８０Ａに操作内容が表示される。そして、料金計算手段３０７にて利用料金が計算され、印刷料金欄５５０Ｂの料金が表示される（ステップＳ５）。この場合は、「京都競馬場４／６（土）４Ｒが選択されました」と表示される。更に、選択したオッズ情報を印刷するための印刷実行欄５９０Ｂが表示される。
【００３７】
次に、利用者がタッチパネルスイッチ付きＬＣＤ４０３のタッチパネルスイッチを操作してオッズ情報の印刷実行を指示すると（ステップＳ６）、図９に示すようにガイダンス欄５４０にステータスとして「印刷中」が表示されると共に、操作内容表示欄５８０Ａにも同様に「印刷中」である旨が表示される。そして、印刷制御手段３０４にて利用者により指示されたレースに対応するオッズ情報を記憶装置４１３のオッズファイルから抽出し、図１０に示すオッズ情報を印刷しプリンタ４０７から出力する（ステップＳ７）。そして、料金計算手段３０７で計算した印刷料金を挿入されているプリペイドカードから精算して、カードＲ／Ｗ制御手段３０４にてカードへ、カード金額、更新利用年月日、使用装置番号等の更新された情報を書き込み、カードＲ／Ｗ４０６からカードを排出する。一方、キャンセル欄５９０Ａが指示された場合には、印刷は行われず、それまでの操作がキャンセルされ、表示制御手段３０５により受付画面（図６）に戻る。
【００３８】
尚、図１０は、印刷実行欄５９０Ｂで印刷実行した場合のオッズ情報の印刷例６００であり、図１１は、同じく成績情報の印刷例６０１である。
【００３９】
また、利用者が本装置の操作途中で、記憶装置４１３の動作管理ファイルに記憶されている本装置内の各設定との関係で異常と判断された場合には、アラーム通知手段３０６にて係員が待機する保守センタへ通知され、図１２に示すように、本装置のガイダンス欄５４０に例えば、「呼出中、係員を呼び出しています。しばらくお待ち下さい」等のメッセージがガイダンスファイルに基づき表示手段３０５により表示されると共に、状態表示欄５６０が「呼出中」に切り替わる。尚、本装置内の設定に基づく異常以外に利用者が操作中に不具合が生じた場合には、利用者は呼出ボタン４０５を押すと保守センタへ通知され、ガイダンス欄５４０等の表示内容も同様に切り替わる。
【００４０】
また、ステップ３におけるカードの正当性の確認処理に関しては、更に次のようなセキュリティの面でも強化されている。
【００４１】
各情報提供装置には、プリペイドカードへの情報の書き込みが発生する毎に生成されるユニークな第１の鍵情報と、固定の第２の鍵情報が記憶されている。そして、このユニークな第１の鍵情報と固定の第２の鍵情報から生成した第３の鍵情報でプリペイドカードに書き込む各種情報（識別子、カード種別、カード番号、カード金額、更新利用年月日、使用装置番号）を暗号化してカードに書き込む。カードには、暗号化した各種情報に加え、カードへの書き込み用の鍵情報として、前記第１の鍵情報と第２の鍵情報から生成した第４の鍵情報（第３の鍵情報とは異なる鍵情報）を書き込む。尚、プリペイドカードへの各種情報の書き込みは、印刷が完了し料金清算を完了した時点で行われる。
【００４２】
また、この暗号化されたカードに書き込まれた各種情報を復元する場合には、カードから読み込んだ第４の鍵情報と装置内に記憶する第２の鍵情報で前記第１の鍵情報を生成し、この生成した第１の鍵情報と第２の鍵情報から第３の鍵情報を生成して、この第３の鍵情報を用いてカードに書き込まれている各種情報を復号化して内容を読み取る仕組みとなっている。
【００４３】
また、本実施形態では、カード使用履歴ファイルは各情報提供装置の記憶装置に記憶されており、例えば、いくつまで履歴を持つかを決めておき、記憶装置内で記憶している履歴の範囲で照合する説明としたが、例えば、各情報提供装置のカード等の利用履歴を集中センター等にて一括管理するシステム構成とすることで、カードを挿入した装置の記憶装置内の履歴情報と一致しなかった場合には、集中センターで管理している他の情報提供装置のカード利用履歴を読み出し照合する仕組みにすることにより、より正確な正当性の確認ができる。
【００４４】
以上のように、本装置ではオッズ情報の印刷に際して表示画面に、開催情報が開催場所と開催レースとがマトリックス上に表示されるため、利用者は一度に複数の印刷対象の開催情報を選択できると共に、ガイダンスや操作した内容も表示されるため、操作に関して確認することができる。更に、例えば、開催レースの中止等、開催情報に関する情報も表示されるため、状況の変化についてすぐに把握することができる。
【００４５】
また、カードに記載された情報と、装置で記憶しているカードの使用履歴との照合により不正カードの使用を排除することができると共に、カード内の情報は暗号化して書き込み、暗号化キーをランダムに変える仕組みとしているため、カードに書き込まれた情報の解読を困難にできるため、更に不正カードの使用を排除することができる。
【００４６】
次に、情報提供装置のメンテナンス情報を提供する仕組みに関する動作について図１３を用いて説明する。図１３は、情報提供装置のメンテナンス動作を示すフローチャートである。情報提供装置の電源ＯＮの状態で、係員がカードＲ／Ｗ４０６にメンテナンスカードを挿入すると（ステップＴ１）、カードＲ／Ｗ制御手段３０３にて挿入されたカードの種別に基づき表示制御手段３０５を介して記憶装置４１３の動作管理ファイルから各情報を読み出し図１４に示すメンテナンスメイン画面７００を表示する（ステップＴ２）。
【００４７】
メンテナンスメイン画面７００は、表示案内欄７１０と、情報提供装置内の時間を示す日付欄７２０と、情報提供装置に備えられている印刷用紙を交換した場合等にテスト印字するためのテスト印刷実行欄７３０Ｃ，本装置内に記録している装置の障害に関するエラーログを印刷するためのログ印刷実行欄７３０Ａ、本装置内で記録している全てのログを印刷するための全ログ印刷実行欄７３０Ｂと、利用者が使用する対価支払い用プリペイドカード（販売用）とメンテナンスカード、印刷用紙を切り取るカッター等の本装置における利用状況の統計を示す当日の利用数７４０Ａ、本装置が稼動してからの利用累計数７４０Ｂ、本装置内に設定された周期内の利用数７４０Ｃで構成された統計欄７４０、本装置が備えるメンテナンス項目を示すメンテナンス項目欄７５０Ａ〜７５０Ｊと、ガイダンス欄７６０を備えている。
【００４８】
ここで、統計欄７４０について具体的に説明する。この統計欄７４０は、本装置の利用状況を示し、利用者が所有している本装置を利用するための料金が予め設定されたプリペイドカード、又はメンテナンスを行う際に、係員が利用するメンテナンスカードが本装置のカードＲ／Ｗ４０６に挿入された際に、カードＲ／Ｗ制御部３０３にて、記憶装置４１３にカウント記録されたカード利用数、本装置に備えられ、利用者の操作に従いオッズ情報を印刷出力した際の印刷用紙を切り取った回数、本装置の利用総数（本装置の操作を途中でキャンセルした場合も含む）の統計値を表示する欄である。尚、各数値は、カードに関しては本装置のカードＲ／Ｗ４０６にカードが挿入され時、カッターについては、印刷制御手段３０４を介して印刷用紙を切り取った時に本装置内でカウント記録している。そして、各統計値は、各日毎の数値をその当日分として当日の利用数７４０Ａに、本装置が稼動してから当日までの利用数として利用累計数７４０Ｂに、本装置内に設定された周期内の利用数として周期利用数７４０Ｃにそれぞれ表示する。
【００４９】
続いて、メンテナンス項目欄７５０Ａ〜７５０Ｊについて具体的に説明する。メンテナンス項目はメンテナンスの内容を示すメンテナンス情報であり、大きく分けると、ログ印刷、動作制御情報印刷、動作制御設定情報の変更、テスト印刷、システム保存・復元（情報保存）、トレース動作設定になる。
【００５０】
ログ印刷は、前述のログ印刷７３０Ａ、全ログ印刷７３０Ｂが該当し、動作制御情報印刷はメンテナンス項目７５０Ａの動作制御情報印刷が該当する。動作制御設定情報の変更は、システム情報変更７５０Ｂ、動作管理設定変更７５０Ｃ、統計情報変更７５０Ｄ、課金度数変更７５０Ｅが該当する。システム保存・復元は、システム情報保存７５０Ｆ、システム復元７５０Ｇが該当し、トレース動作設定は、トレース停止７５０Ｈ、トレース保存７５０Ｉが該当する。
【００５１】
係員が画面表示されたメンテナンスメイン画面７００のメンテナンス項目からログ印刷項目７３０Ａまたは７３０Ｂを指示すると、ログ印刷７３０Ａの場合は、（ステップＴ３）メンテナンス手段３０８にて記憶装置４１３に記憶しているエラーログファイルから装置の障害情報に関するエラーログを読み出し、印刷制御手段３０４介してプリンタ４０９からエラーログを印刷する。全ログ印刷７３０Ｂの場合は、エラーログファイルに記憶されているすべてのログを読み出し、印刷する。（ステップＴ４）。
【００５２】
メンテナンスメイン画面７００のメンテナンス項目から動作制御情報印刷７５０Ａが指示された場合には（ステップＴ５）、情報設定手段３０１にて設定され、記憶装置４１３の動作管理ファイル、課金情報ファイル、統計情報ファイルからメンテナンス手段３０８にて、統計欄７４０に表示される統計情報、後述する本装置の日付、時刻、装置を特定するための装置番号、本装置の稼動時間等の業務時間（通常、延長）のシステム情報、システムの動作管理情報（例えば、利用者が本装置を利用する際に、ある時間操作されないとエラーとして初期画面に戻す等の設定時間や、利用者の操作ミスを何回まで認めるか等の設定回数等）利用者に対するオッズ情報の印刷サービス料金（課金度数）を読み出し、印刷制御手段３０４を介して図１５または図１６に示すシステム情報８００、８０１をプリンタ４０９から印刷出力する（ステップＴ６）。
【００５３】
メンテナンスメイン画面７００のメンテナンス項目から設定情報の変更、すなわち、システム情報変更７５０Ｂまたは動作管理設定変更７５０Ｃまたは統計情報変更７５０Ｄまたは課金度数変更７５０Ｅが指示された場合には、（ステップＴ７）次の各画面を表示し（ステップＴ８）、各画面にて設定データの変更入力により設定値が変更更新される（ステップＴ９）。具体的には、タッチパネルスイッチ付きＬＣＤ４０３のタッチパネルスイッチの選択でこのシステム情報変更欄７５０Ｂを指示すると、メンテナンス手段３０８にて記憶装置４１３の動作管理ファイルからシステム情報を読み出し、表示制御手段３０５を介して図１７に示すシステム情報変更画面７０１を表示する。そして該画面７０１に表示されているシステム情報がメンテナンス手段３０８により変更可能である。
【００５４】
すなわち、本装置の日付、時刻、装置を特定するための装置番号、本装置の稼動時間等の業務時間（通常、延長）、利用者に提供する開催情報のうち、ニュース欄５８０に表示するレース開催情報等の文字放送データの表示の有無等の設定変更ができるようになっている。
【００５５】
タッチパネルスイッチ付きＬＣＤ４０３のタッチパネルスイッチの選択でこの動作管理設定変更欄７５０Ｃを指示すると、メンテナンス手段３０８にて記憶装置４１３の動作管理ファイルから動作管理情報を読み出し、表示制御手段３０５を介して図１８に示す動作管理設定変更画面７０２を表示する。そして、該画面７０２に表示さ表れている動作管理設定がメンテナンス手段３０８により変更可能である。
【００５６】
すなわち、センタから受信する文字放送の受信が途絶えた場合にタイムアウト状態とするためのデータ受信断時間、利用者がカードＲ／Ｗ４０６に挿入した後のオペレーション監視時間を示す顧客操作待ち時間、この顧客操作待ち時間内に操作されなかった場合に利用者に操作を促す音声案内を行う回数を示す顧客操作待ちリトライ回数、利用者によりカードＲ／Ｗ４０６に挿入されたカードの読み取りリトライ回数を示す磁気カードエラーリトライ回数、利用者が一度のサービスで選択（印刷指定選択）できる最大レース数を示す選択レース最大数等の設定変更ができるようになっている。
【００５７】
タッチパネルスイッチ付きＬＣＤ４０３のタッチパネルスイッチの選択でこの統計情報変更欄７５０Ｄを指示すると、メンテナンス手段３０８にて記憶装置４１３の統計情報ファイルから統計情報を読み出し、表示制御手段３０５を介して図１９に示す統計情報変更画面７０３を表示する。そして、該画面７０３に表示されている統計情報がメンテナンス手段３０８により更可能である。
【００５８】
すなわち、本装置にてカウント記録されたカード利用数、印刷用紙を切り取った回数、本装置の利用総数（本装置の操作を途中でキャンセルした場合も含む）の、本装置が稼動してから当日までの利用累計数と、本装置内に設定された周期内の周期利用数の統計情報の変更と周期統計値を初期化ができるようになっている。
【００５９】
タッチパネルスイッチ付きＬＣＤ４０３のタッチパネルスイッチの選択でこの課金度数変更を指示すると、図２０に示す課金度数変更画面７０４が表示され、該画面７０４に表れている課金度数が変更可能である。
【００６０】
情報提供装置に備えられている印刷用紙を交換した時に、メンテナンスメイン画面７００のメンテナンス項目からテスト印刷項目７３０Ｃを指示すると（ステップＴ１０）、印刷制御手段３０４にてテスト印字を行う（ステップＴ１１）。
【００６１】
メンテナンスメイン画面７００のメンテナンス項目からシステム保存・復元、すなわち、システム保存７５０Ｆ、システム復元７５０Ｇが指示された場合には（ステップＴ１２）、システム保存の場合は、メンテナンス手段３０８にて記憶装置４１３に記憶されている動作管理ファイルからシステム情報を読み出し、フレキシブルディスクに保存する（ステップＴ１３）。システム復元の場合は、システム保存で保存したフレキシブルディスクからメンテナンス手段３０８にてシステム情報を復元する（ステップＴ１４）。
【００６２】
メンテナンスメイン画面７００のメンテナンス項目からトレース動作設定、すなわち、トレース停止７５０Ｈまたはトレース保存７５０Ｉが指示された場合には（ステップＴ１５）、トレース動作設定を行う（ステップＴ１６）。具体的には、トレース停止７５０Ｈが指示された場合には、メンテナンス手段３０８にて文字放送データのトレースの停止または起動設定される。このトレース停止欄７５０Ｈの押下するごとに、トレースの起動、停止が切り替わる。トレース保存７５０Ｉが指示された場合には、メンテナンス手段３０８により記憶装置４１３のトレースファイルからとレース情報を読み出し、予め設定された記憶装置に当日採取のトレースデータを保存する。
【００６３】
メンテナンスメイン画面７００のメンテナンス終了７５０Ｊが指示されるとメンテナンスを終了し、利用者への情報提示画面に切り替わる（ステップＴ１７）。
【００６４】
尚、メンテナンス対象情報の上記統計情報の周期、ログ情報の記録の有無、システム情報、動作管理、課金度数等の各初期設定は、各情報提供装置毎に予め（情報設定手段）３０１を介して設定されており、このメンテナンス手段３０８により、予め初期設定されている各設定値の変更等が、各装置毎に該装置の画面上での操作できるようになっている。
【００６５】
また、利用者に提供される開催情報の提供画面に基づく利用者の操作に関しては、情報設定手段３０１にて設定され各装置の記憶装置４１３に記憶されている設定値に基づき各制御手段（データ抽出手段３０２、カードＲ／Ｗ制御手段３０３、印刷制御手段３０４、表示制御手段３０５）にて動作が制御される。例えば、利用の操作に関しては、操作ミスが３回までと設定されていた場合には、３回入力ミスが発生すると表示制御手段３０５にて操作不要に制御したり、利用者のアクセスに関しても例えば１分間アクセスが無い場合には、初期の受付画面（図６）に戻す等の制御が行われる。このように、設定値との関係で障害と判定された場合には、アラーム通知手段３０６から係員が待機している保守センタへ通知がなされるようになっている。係員はこの通知に基づき、該当装置のメンテナンスを行う。
【００６６】
また、例えば、印刷用紙の切り取り回数が設定された回数を越えると、印刷制御手段３０４からアラーム通知手段３０７を介して保守センタへ通知されると共に図２１に示すように、該当装置の利用者に対する開催情報の提供画面７００における印刷用紙残量表示欄５５０Ｃに表示制御手段３０５により印刷用紙の残量をバー表示する。そのため、係員は該当装置の表示画面でも残量を視覚的に把握できるようになっている。
【００６７】
このように、本実施形態によれば、利用者は、本装置に適用するプリペイドカードをカードＲ／Ｗ４０６に挿入して、対話形式にてタッチパネルスイッチ付きＬＣＤ４０３の表示とタッチパネルスイッチの選択操作とを順次行うことより、図６〜図９及び図１２に示す画面により所望のオッズ情報を印刷することが可能となる。
【００６８】
また本実施形態によれば、係員は、本装置に適用するメンテナンス用カードをカードＲ／Ｗ４０６に挿入して、対話形式にてタッチパネルスイッチ付きＬＣＤ４０３の表示とタッチパネルスイッチの選択操作とを順次行うことより、図１４及び図１７〜図２０に示すメンテナンス画面により所望のメンテナンス情報を確認及び変更することが可能となる。
【００６９】
さらに、本実施形態によれば、汎用ＯＳを用いて画面生成及び表示を行うようにしているので、図６〜図９及び図１２に示すオッズ情報に係る画面及びその各欄を、所望に変更することができ、新たな賭式が採用される場合でも、簡単に対応をとることができる。同様に、汎用ＯＳを用いて画面生成及び表示を行うようにしているので、図１４及び図１７〜図２０に示すメンテナンス画面及びその各欄についても、所望に変更することができる。
【００７０】
尚、本実施形態では、情報提供装置は競馬の開催情報の提供サービスを例に説明したが、これに限定されず、特に、メンテナンス情報を提供する仕組みに関しては、例えば、駅、公共施設、店舗等に設置された利用者に提供される各種情報（イベント情報、飲食店情報、地図情報、乗り物（電車、バス等）等）を提供する情報提供装置にも適用できる。この場合、利用者に提供される情報は予め記憶装置４１３に記憶されており、データ抽出手段３０２により、記憶装置４１３から提供情報を抽出し、表示制御手段３０５を介して表示機４０３に各種情報が表示される。また、メンテナンスの内容を示すメンテナンス情報としては、基本的には上記と同様であり、無料で情報を提供する場合には課金情報は含まれない。また、上記ではカードを利用した情報提供を例に説明したが、カードを利用しない場合にはカード利用に関する統計情報、印刷機能を備えない場合には印刷に係る統計情報等も含まれない。
【００７１】
【発明の効果】
以上述べたように本発明によれば、利用者は情報提供装置に一覧表示された開催情報から所望のレースに係るオッズを選択するこができる上に選択されたレースのオッズ情報を印刷することができ、よって、利用者に対して操作性が一層向上する。
【００７２】
また、情報提供装置の動作制御する情報にかかるメンテナンス機能を備えているため、各装置毎に障害時等のメンテナンスを容易に行うことができる
更に、情報提供装置の利用にあたり使用されるカードのセキュリティも強化しているため、未然に不正カードの使用を排除できる。
【図面の簡単な説明】
【図１】本発明の一実施形態に係る開催情報提供装置の設置形態を示す図。
【図２】同実施形態に係る開催情報提供装置の外観を示す斜視図。
【図３】同実施形態に係る開催情報提供装置のハード構成を示す図。
【図４】同実施形態に係る開催情報提供装置のソフト構成を示す図。
【図５】同実施形態に係る開催情報提供装置の開催情報提供の動作を示すフローチャート。
【図６】同装置による開催情報提供の際の画面を示す図。
【図７】同装置による開催情報提供の際の画面を示す図。
【図８】同装置による開催情報提供の際の画面を示す図。
【図９】同装置による開催情報提供の際の画面を示す図。
【図１０】印刷された開催情報の一例を示す図。
【図１１】印刷された成績情報の一例を示す図。
【図１２】同装置による開催情報提供の際の画面を示す図。
【図１３】同実施形態に係る開催情報提供装置のメンテナンス機能の動作を示すフローチャート。
【図１４】同装置のメンテナンスの際の画面を示す図。
【図１５】同装置のメンテナンスの際の印刷出力の一例を示す図。
【図１６】同装置のメンテナンスの際の印刷出力の他例を示す図。
【図１７】同装置のメンテナンスの際の画面を示す図。
【図１８】同装置のメンテナンスの際の画面を示す図。
【図１９】同装置のメンテナンスの際の画面を示す図。
【図２０】同装置のメンテナンスの際の画面を示す図。
【図２１】同装置による開催情報提供の際の画面を示す図。
【符号の説明】
４００…レース開催情報提供装置
４０１…台
４０２…筐体
４０３…タッチパネルスイッチ付きＬＣＤ
４０４…呼出ボタン
４０６…カードＲ／Ｗ
４０７…開閉扉鍵
４０８…スピーカ
４０９…プリンタ
４１０…取出口
５００…開催情報画面
５１０…オッズ情報欄
５２０…情報提供内容表示欄
５３０…切替欄
５４０…ガイダンス欄
５５０Ａ…カード情報欄
５５０Ｂ…印刷料金欄
５６０…状態表示欄
５７０…選択レース欄
５８０Ａ…操作内容表示欄
５８０Ｂ…ニュース欄
５９０Ａ…キャンセル欄
５９０Ｂ…印刷実行欄
７００…メンテナンスメイン画面
７１０…表示案内欄
７２０…日付欄
７３０Ａ，７３０Ｂ，７３０Ｃ…印刷実行欄
７４０Ａ，７４０Ｂ，７４０Ｃ…カード統計欄
７５０Ａ〜７５０Ｊ…メンテナンス項目欄
７６０…ガイダンス欄
【図１】
0004301764.tif 000002
【図２】
0004301764.tif 000003
【図３】
0004301764.tif 000004
【図４】
0004301764.tif 000005
【図５】
0004301764.tif 000006
【図６】
0004301764.tif 000007
【図７】
0004301764.tif 000008
【図８】
0004301764.tif 000009
【図９】
0004301764.tif 000010
【図１０】
0004301764.tif 000011
【図１１】
0004301764.tif 000012
【図１２】
0004301764.tif 000013
【図１３】
0004301764.tif 000014
【図１４】
0004301764.tif 000015
【図１５】
0004301764.tif 000016
【図１６】
0004301764.tif 000017
【図１７】
0004301764.tif 000018
【図１８】
0004301764.tif 000019
【図１９】
0004301764.tif 000020
【図２０】
0004301764.tif 000021
【図２１】
0004301764.tif 000022